(57)【特許請求の範囲】
【請求項１】
複数種類の水質センサおよび水圧センサのうちの少なくともを二つを有する水道断水判別機能付き水道水質自動監視装置の発信する異常な水道水のセンサ信号の判別方法であって、異常な水道水のセンサ信号の発信が単一であるときに、その水道水のセンサ信号を発信するセンサの異常あるいは前記センサの検知する水質または水圧の異常と判定し、異常な水道水のセンサ信号の発信が複数であるときに水道の断水と判定することを特徴とする水道水のセンサ信号の判別方法。
【請求項２】
請求項１に記載の判別方法において、複数の異常な水道水のセンサ信号は水圧センサと色・濁りセンサの出力信号であることを特徴とする水道水のセンサ信号の判別方法。
【請求項３】
請求項１に記載の判別方法において、複数の異常な水道水のセンサ信号は水圧センサと残留塩素センサの出力信号であることを特徴とする水道水のセンサ信号の判別方法。
【発明の詳細な説明】
【０００１】
【発明の属する技術分野】
この発明は水道水質自動計測装置の発信する異常な水道水質信号の判別方法に関する。
【０００２】
【従来の技術】
水道法では水道事業者に対して、水道水の色，濁り，残留塩素濃度の３項目の水質検査を給水区域内の複数の給水栓水を対象に毎日１回以上行うことを義務づけている。この検査を自動化して行う装置が水道水質自動監視装置であり色・濁り，残留塩素の各測定センサを主体として、これに水温，水圧，電気伝導率，ｐＨの各水質センサを追加した構成のものが一般的である。
【０００３】
色・濁りの測定に関しては、色を色度で代用測定し、濁りを濁度で代用測定することが認められているため、色・濁りセンサとして、色度・濁度計が用いられることが多い。「上水試験方法」第７３頁〜第７４頁（１９９３年）（厚生省生活衛生局水道環境部監修，（社）日本水道協会発行）によれば、色度は「水中に含まれる溶解性物質およびコロイド性物質が呈する類黄色ないし黄褐色の程度」とされ、目視による比色法と波長３９０ｎｍの吸光度が公定法として示されている。一方、濁度は「水の濁りの程度」とされ、目視による比濁法と波長６６０ｎｍの吸光度が公定法として示されている。
【０００４】
このような色度と濁度を自動的に計測するセンサは、すでに各種市販されており、センサは基本的に光源、フローセル、３９０ｎｍと６６０ｎｍの光を透過させる各光学フィルタ、光電変換器からなり、連続的に試料水が流れるフローセルに３９０ｎｍと６６０ｎｍの光を順に透過させ、その吸光度を各々測定し、換算式または換算表から色度、濁度に変換して出力する。
【０００５】
色・濁りを計測するセンサは、上述の色度、濁度計測タイプのほかに、本発明者らが特願平６−２０６２２７号により出願中のものがあり、これはより目視検査に近い原理による色の測定をＲ（  赤）  、Ｇ（  緑）  、Ｂ（  青）  ３原色の各吸光度解析から行うものである。
また残留塩素を自動計測するセンサとしては、ポーラログラフ電極法によるセンサが一般的に用いられる。ポーラログラフ電極法は、検水に浸した金電極と銀電極間に適当な電圧を加え、そのとき流れる拡散電流から残留塩素量を測定する。電極表面のイオン拡散の制御のために、金電極を回転したり、電極表面に水流を衝突させる。
【０００６】
水道水質自動監視装置は、３ヶ月程度ノーメンテナンスで運転され、水質測定値は、通信回線を介して中央監視局にあるホストコンピュータに電送される。
自動運転中に水質センサが異常信号を発信した場合には、この異常信号は中央監視局にあるホストコンピュータに伝送される。異常信号のうち水圧センサの出力値の低下は従来、断水検知の方法として使用されてきた。
【０００７】
【発明が解決しようとする課題】
しかしながら従来の断水検知の方法によるときは、水圧センサが故障して出力がゼロになった場合にも断水警報を発してしまうという問題があり、そのために正確に断水警報を発信することが困難であった。この発明は上述の点に鑑みてなされその目的は、水道水質センサの異常信号により正確に断水警報を発信することが可能な水道断水判別機能付き水道水質信号の判別方法を提供することにある。
【０００８】
【課題を解決するための手段】
上述の目的はこの発明によれば複数種類の水質センサおよび水圧センサのうちの少なくともを二つを有する水道断水判別機能付き水道水質自動監視装置の発信する異常な水道水のセンサ信号の判別方法であって、異常な水道水のセンサ信号の発信が単一であるときに、その水道水のセンサ信号を発信するセンサの異常あるいは前記センサの検知する水質または水圧の異常と判定し、異常な水道水のセンサ信号の発信が複数であるときに水道の断水と判定することにより達成される。
【０００９】
上述の発明において複数の異常な水道水のセンサ信号は水圧センサと色・濁りセンサの各出力信号であるとすること、または複数の異常な水道水のセンサ信号は水圧センサと残留塩素センサの各出力信号であるとすることが有効である。水道水のセンサ信号の組み合わせとしては例えば水圧センサ，色・濁りセンサ，残留塩素センサ，電気伝導度セルまたはｐＨ 計の各センサの発信する水道水のセンサ信号のうちの少なくとも二つが用いられる。色・濁りセンサの発信する水道水のセンサ信号には色度，濁度，着色度，色相が含まれる。
【００１０】
水道断水のときには色・濁りセンサのフローセルが空になり屈折率の変化から光透過率が低下して色・濁りセンサの出力値上昇が起こる。従って水道断水のときには水圧センサの出力値低下と色・濁りセンサの出力値上昇の両方が起こる。水圧センサの出力値低下のみが起こったときには水圧センサの異常または水圧の低下と判断し、水圧センサの出力値低下と色・濁りセンサの出力値上昇の両方が起こったときに水道断水と判定することにより水道断水であるか水道断水判別機能付き水道水質自動監視装置の水圧センサ故障であるかの判別ができる。
【００１１】
また水道断水のときには残留塩素センサに試料水が流れなくなることにより電極表面付近のイオン拡散電流が減少し、残留塩素測定値が低下する。断水のときには水圧センサの出力値低下と残留塩素センサの出力値低下の両方が起こるため、水圧センサの出力値低下のみ起こったときには水圧センサの異常または水圧の低下と判定し、水圧センサの出力値低下と残留塩素センサの出力値低下の両方が起こったときに水道断水と判定することによって水道断水であるか水道断水判別機能付き水道水質自動監視装置の水圧センサ故障であるかの判別ができる。
【００１２】
水圧センサは水道断水判別機能付き水道水質自動監視装置に設置するセンサのなかで最も先位に配置されるので水圧センサは水道断水判別機能付き水道水質自動監視装置の他の要素、例えばバルブ等の影響を受けにくく、水道断水判別機能付き水道水質自動監視装置のバルブに起因する断水の誤報がなくなるから水圧センサの発信する信号は他の水質センサの信号よりも信頼性が高くなる。
【００１３】
【発明の実施の形態】
図１はこの発明の実施例に係る水道断水判別機能付き水道水質自動監視装置を示す配置図である。測定試料である水道水１は、取水配管２を介して装置に導かれ、水圧センサ３で水圧が測定される。水道水１は、Ｔ型継手４により２つの流路に分かれ、色・濁りセンサ５で色、濁りの測定が、残留塩素センサ６で残留塩素の測定が行われる。各センサの出力は信号処理装置７に集められたのち通信装置８により図示しない外部装置に出力される。測定終了後の水道水１は、排水９として系外に流出させる。
【００１４】
信号処理装置７は各センサの信号判定機能を有し水圧センサの出力値低下と色・濁りセンサの出力値上昇の両方が起こったときに水道断水と判定し、水圧センサの出力値低下のみ起こったときには水圧センサの異常と判定して、通信装置８を経由し、図示しない外部装置に水道断水であることを表す信号または水圧センサが故障であることを表す信号を出力する。
【００１５】
上述と同様にして水圧センサの出力値低下と残留塩素センサの出力値低下の両方が起こったときに水道断水と判定し、水圧センサの出力値低下のみ起こったときには水圧センサの異常と判定して通信装置７を経由し図示しない外部装置に水道断水であることを表す信号または水圧センサが故障であることを表す信号を出力する。
【００１６ 】
【発明の効果】
この発明によれば異常な水道水のセンサ信号の発信が単一であるときにはその水道水のセンサ信号を発信するセンサの異常あるいは前記センサの検知する水質または水圧の異常と判定し、異常な水道水のセンサ信号の発信が複数であるときに断水と判定するので、水道断水判別機能付き水道水質自動監視装置のセンサが異常であるか、水道断水判別機能付き水道水質自動監視装置に断水が起こっているかの判別が容易となり、その結果正確に断水警報を発信することが可能となる。
【００１７】
水圧センサは水道断水判別機能付き水道水質自動監視装置のセンサのなかで最も信頼性が高いので水圧センサと色・濁りセンサの出力信号の組み合わせ、水圧センサと残留塩素センサの出力信号の組み合わせを用いて精度の高い断水警報の発信が可能となる。
【図面の簡単な説明】
【図１】この発明の実施例に係る水道断水判別機能付き水道水質自動監視装置を示す配置図
【図１】
0003582202.tif 000002